(57)【要約】【課題】  ＭＦＤの音質改善装置及びその方法を提供しようとする。【解決手段】  基地局から受信されたオーディオ信号を増幅する段階と、該増幅されたオーディオ信号から振動周波数成分を除去する段階と、それら増幅されたオーディオ信号及び振動周波数成分の除去された増幅されたオーディオ信号を端末機の動作モードに応じてＭＦＤ（Ｍｕｌｔｉ  Ｆｕｎｃｔｉｏｎ  Ｄｅｖｉｃｅ）にスイッチングする段階と、を順次行ってＭＦＤの音質を改善し得るようにＭＦＤの音質改善装置を構成する。【選択図】  図１
2004304764.tif 000002
【特許請求の範囲】
【請求項１】
基地局から受信されたオーディオ信号を増幅する段階と、
該増幅されたオーディオ信号から振動周波数成分を除去する段階と、
それら増幅されたオーディオ信号及び振動周波数成分の除去された増幅されたオーディオ信号を端末機の動作モードに応じてＭＦＤ（Ｍｕｌｔｉ  Ｆｕｎｃｔｉｏｎ  Ｄｅｖｉｃｅ）にスイッチングする段階と、を順次行うことを特徴とするＭＦＤの音質改善方法。
【請求項２】
前記オーディオ信号は、
音声信号、リング信号及び振動周波数信号中何れか一つであることを特徴とする請求項１記載のＭＦＤの音質改善方法。
【請求項３】
前記周波数成分の除去された増幅されたオーディオ信号は、
音声信号及びリング信号であることを特徴とする請求項１記載のＭＦＤの音質改善方法。
【請求項４】
経路制御信号に応じてオーディオ信号を第１及び第２経路にそれぞれ分離する段階と、
該分離された第２経路の信号を増幅する段階と、
それら第１経路の信号及び増幅された第２経路の信号をそれぞれフィルタリングする段階と、
該フィルタリングされた信号及び増幅された第２経路の信号を振動イネーブル信号に応じてＭＦＤ（Ｍｕｌｔｉ  Ｆｕｎｃｔｉｏｎ  Ｄｅｖｉｃｅ）に選択して出力する段階と、を順次行うことを特徴とする移動通信端末機におけるＭＦＤの音質改善方法。
【請求項５】
前記オーディオ信号は、
音声信号、リング信号及び振動周波数信号中何れか一つで、フィルタリングされる第２経路の信号は、リング信号であることを特徴とする請求項４記載の移動通信端末機におけるＭＦＤの音質改善方法。
【請求項６】
前記第１経路の信号は、
音声信号で、第２経路の信号は、リング信号及び振動周波数信号中何れか一つであることを特徴とする請求項４記載の移動通信端末機におけるＭＦＤの音質改善方法。
【請求項７】
前記オーディオ信号は、
通話モードでは第１経路に出力され、リングモード及び振動モードでは第２経路に出力されることを特徴とする請求項４記載の移動通信端末機におけるＭＦＤの音質改善方法。
【請求項８】
前記フィルタリングされた信号は、
通話モード及びリングモードではＭＦＤに出力され、前記増幅された信号は、振動モードではＭＦＤにそのまま出力されることを特徴とする請求項４記載の移動通信端末機におけるＭＦＤの音質改善方法。
【請求項９】
前記経路制御信号は、
通話モードではロー状態で、リングモード及び振動モードではハイ状態であって、前記振動イネーブル信号は、通話モード及びリングモードではロー状態で、振動モードではハイ状態であることを特徴とする請求項４記載の移動通信端末機におけるＭＦＤの音質改善方法。
【請求項１０】
基地局から受信されたオーディオ信号を増幅するオーディオ増幅器と、
該オーディオ増幅器の出力信号をフィルタリングするフィルタリング部と、
それらフィルタリング部及びオーディオ増幅器の出力信号を振動イネーブル信号に応じてＭＦＤ（Ｍｕｌｔｉ  Ｆｕｎｃｔｉｏｎ  Ｄｅｖｉｃｅ）に出力するスイッチング部と、を包含して構成されることを特徴とする移動通信端末機におけるＭＦＤの音質改善装置。
【請求項１１】
前記振動イネーブル信号は、
端末機の動作モードに対応して処理部（Ｍｏｂｉｌｅ  Ｓｔａｔｉｏｎ  Ｍｏｄｅｍ）から出力され、通話モード及びリングモードではロー状態で、振動モードではハイ状態であることを特徴とする請求項１０記載の移動通信端末機におけるＭＦＤの音質改善方法。
【請求項１２】
基地局から受信されたオーディオ信号を経路制御信号に応じて第１及び第２経路にスイッチングする第１スイッチング部と、
前記第２経路のオーディオ信号を増幅するオーディオ増幅器と、
それら第１経路のオーディオ信号及びオーディオ増幅器の出力信号をフィルタリングするフィルタリング部と、
振動イネーブル信号に応じて前記フィルタリング部及びオーディオ増幅器の出力信号をＭＦＤ（Ｍｕｌｔｉ  Ｆｕｎｃｔｉｏｎ  Ｄｅｖｉｃｅ）にスイッチングする第２スイッチングと、を包含して構成されることを特徴とする移動通信端末機におけるＭＦＤの音質改善装置。
【請求項１３】
前記第１及び第２スイッチング部は、
二つのアナログオーディオスイッチから構成され、前記フィルタリング部は、二つのハイパスフィルタから構成されることを特徴とする請求項１２記載の移動通信端末機におけるＭＦＤの音質改善装置。
【請求項１４】
前記経路制御信号及び振動イネーブル信号は、
端末機の動作モードに対応して処理部（Ｍｏｂｉｌｅ  Ｓｔａｔｉｏｎ  Ｍｏｄｅｍ）から出力されることを特徴とする請求項１２記載の移動通信端末機におけるＭＦＤの音質改善装置。
【請求項１５】
前記経路制御信号は、
通話モードではロー状態で、リングモード及び振動モードではハイ状態であって、前記振動イネーブル信号は、通話モード及びリングモードではロー状態で、振動モードではハイ状態であることを特徴とする請求項１４記載の移動通信端末機におけるＭＦＤの音質改善方法。
【請求項１６】
前記オーディオ信号は、
音声信号、リング信号及び振動周波数信号中何れか一つであることを特徴とする請求項１２記載の移動通信端末機におけるＭＦＤの音質改善装置。
【請求項１７】
前記第１経路の信号は、
音声信号で、前記第２経路の信号は、リング信号及び振動周波数信号中何れか一つであることを特徴とする請求項１２記載の移動通信端末機におけるＭＦＤの音質改善装置。
【請求項１８】
前記フィルタリングされるオーディオ増幅器の出力信号は、リング信号であることを特徴とする請求項１２記載の移動通信端末機におけるＭＦＤの音質改善装置。
【請求項１９】
前記第１スイッチング部は、
通話モードではオーディオ信号を第１経路に出力し、リングモード及び振動モードでは第２経路に出力することを特徴とする請求項１２記載の移動通信端末機におけるＭＦＤの音質改善装置。
【請求項２０】
前記第２スイッチング部は、
通話モード及びリングモードではフィルタリング部の出力信号をＭＦＤに出力し、振動モードではオーディオ増幅器の出力信号をＭＦＤに出力することを特徴とする請求項１２記載の移動通信端末機におけるＭＦＤの音質改善装置。
【請求項２１】
受信信号が少なくとも音声信号及び警報（ａｌｅｒｔ）信号中何れか一つであるかを決定する段階と、
受信信号が音声信号であると、第１音声信号を生成するために受信信号をフィルタリングする段階と、
受信信号が警報信号であると、増幅された第１警報信号を発生するために受信信号を増幅する段階と、
振動モードが設定されているかを決定する段階と、
振動モードが設定されていないと、リング信号を発生するために前記増幅された第１警報信号をフィルタリングする段階と、
振動モードが設定されていると、振動信号を生成する段階と、
出力信号として前記音声信号、リング信号及び振動信号中少なくとも何れか一つを生成する段階と、を行うことを特徴とする通信信号処理方法。
【請求項２２】
前記出力信号を多機能装置（ＭＦＤ）に提供する段階を更に行うことを特徴とする請求項２１記載の通信信号処理方法。
【請求項２３】
前記出力信号が振動信号であると、ＭＦＤが振動する段階と、
前記出力信号がリング信号であると、ＭＦＤがリング音を出す段階と、
前記出力信号が音声信号であると、ＭＦＤが音声出力を発生する段階と、を更に行うことを特徴とする請求項２２記載の通信信号処理方法。
【請求項２４】
前記音声信号をフィルタリングする段階及び増幅された第１警報信号をフィルタリングする段階は、増幅された第１警報信号から振動周波数成分を除去することを特徴とする請求項２１記載の通信信号処理方法。
【請求項２５】
増幅された信号を発生するために受信信号を増幅する段階と、
振動状態が設定されていないと、フィルタリングされた信号を発生するために前記増幅された信号をフィルタリングする段階と、
振動状態が設定され、前記増幅された信号が音声成分を含まないと、振動信号を生成する段階と、を行うことを特徴とする音質改善方法。
【請求項２６】
前記増幅された信号をフィルタリングする段階は、
増幅された信号が音声成分であると、音声信号を生成する段階を更に行うことを特徴とする請求項２５記載の音質改善方法。
【請求項２７】
前記増幅された信号をフィルタリングする段階は、
増幅された信号がリング成分であると、リング信号を生成する段階を更に行うことを特徴とする請求項２５記載の音質改善方法。
【請求項２８】
受信信号が音声信号であるか、又は警報（ａｌｅｒｔ）信号であるかを決定する手段と、
受信信号が音声信号であると、第１音声信号を生成するために前記受信信号をフィルタリングする手段と、
受信信号が警報信号であると、増幅された第１警報信号を発生するために前記受信信号を増幅する手段と、
振動状態が設定されているかを決定する手段と、
振動状態が設定されていないと、リング信号を発生するために前記増幅された第１警報信号をフィルタリングする手段と、
振動モードが設定されていると、振動信号を生成する手段と、
出力信号として前記音声信号、リング信号及び振動信号中少なくとも何れか一つを生成する手段と、を含んで構成されることを特徴とする移動通信端末機の受信信号処理処置。
【請求項２９】
受信信号を音声信号及び警報信号中少なくとも何れか一つにスイッチングするスイッチと、
受信信号が警報信号であると、増幅された第１警報信号を発生するために前記受信信号を増幅する増幅器と、
振動イネーブル信号を発生する信号発生部と、
受信信号が音声信号であると、第１音声信号を生成するために前記受信信号をフィルタリングし、リング信号を発生するために前記増幅された第１警報信号をフィルタリングするフィルタと、
前記振動イネーブル信号が設定されていると、振動信号を発生するスイッチと、を含んで構成されることを特徴とする通信信号処理処置。
【請求項３０】
多機能ディバイス（ＭＦＤ）を更に含み、前記ＭＦＤは、振動信号が発生すると振動することを特徴とする請求項２９記載の通信信号処理処置。
【請求項３１】
多機能ディバイス（ＭＦＤ）を更に含み、前記ＭＦＤは、リング信号が発生するとリング音を発生することを特徴とする請求項２９記載の通信信号処理処置。
【請求項３２】
多機能ディバイス（ＭＦＤ）を更に含み、前記ＭＦＤは、音声信号が発生すると音声を生成することを特徴とする請求項２９記載の通信信号処理処置。
【請求項３３】
移動通信端末機で使用される多機能ディバイス（ＭＦＤ）を更に含み、前記ＭＦＤは、振動、リング及び音声信号中少なくとも何れか一つを受信することを特徴とする請求項２９記載の通信信号処理処置。
【請求項３４】
アナログ信号及び制御信号を出力する信号処理器と、
該信号処理器と通信して、フィルタリングされた信号及びフィルタリングされていない信号を発生するフィルタモジュールと、
該フィルタモジュールと通信して、前記制御信号が第１レベルであると、フィルタリングされた信号を多機能ディバイス（ＭＦＤ）に出力し、制御信号が第２レベルであると、フィルタリングされていない信号をＭＦＤに出力するスイッチと、を含んで構成されることを特徴とするＭＦＤを具備した移動通信端末機。
【発明の詳細な説明】
【技術分野】
【０００１】
本発明は、ＭＦＤ（Ｍｕｌｔｉ  Ｆｕｎｃｔｉｏｎ  Ｄｅｖｉｃｅ）を備えた移動通信端末機に係るもので、詳しくは、前記ＭＦＤの音質を改善する装置及びその音質を改善する方法に関するものである。
【背景技術】
【０００２】
一般に、移動通信端末機は、無線で音声、文字及び画像情報等の情報を通信する携帯用機器であって、端末機の製造分野では、携帯の便利を図るために、端末機を一層小型化及び軽量化している。移動通信端末機の小型化及び軽量化傾向に従って、多様な機能を一つに統合した部品が部品のサイズ及び数を減らすために有効に使用されているが、その中でＭＦＤ（Ｍｕｌｔｉ  Ｆｕｎｃｔｉｏｎ  Ｄｅｖｉｃｅ）は最も代表的なものである。
【０００３】
該ＭＦＤは、受話器（Ｒｅｃｅｉｖｅｒ）、スピーカー、ブザー及び振動モータの機能を統合することで、振動、メロディ及び移動通信端末機の他の多様な機能を行うことができる。又、前記ＭＦＤは、音声用振動板及び振動用振動板を包含し、１２０〜１８０Ｈｚの振動周波数が振動板に入力されると振動機能を発生し、音声帯域の周波数が振動板に入力されると音響（Ｖｏｉｃｅ  Ｓｏｕｎｄ）を発生する。又、このようなＭＦＤは、受話器及びスピーカーの機能は、従来と同様に構成されるが、振動板が音声板と密着される点は従来と異なっている。又、従来の振動モータは、電圧の印加によって振動される反面、ＭＦＤは振動周波数によって振動される。
【０００４】
図３は従来の移動通信端末機を示した図で、図３に示したように、従来の移動通信端末機は、処理部１、オーディオ処理器２、ブザー駆動部３、振動モータ駆動部４、周辺装置の処理器５及びメモリ部６を包含している。
【０００５】
且つ、前記処理部１は、各部に対する制御及びモデムを処理する中央演算装置であって、基地局を通して受信されたデジタルオーディオ信号を音声信号、リング信号及び振動周波数信号に復調する役割をする。又、オーディオ処理器２は、例えば、ＣＯＤＥＣ（Ｃｏｄｅｒ／Ｄｅｃｏｄｅｒ）であり、処理部１から復調された音声信号をアナログ音声信号に変換して受話器に出力し、マイクロホンから入力されたアナログ音声信号をデジタル音声信号に変換して処理部１に出力する。
【０００６】
又、ブザー駆動部３は、呼信号が着信される時、処理部１から復調されたブザー信号（例えば、リング信号）によってブザーを駆動し、振動モータ駆動部４は、呼信号が着信される時、処理部１から復調された振動周波数信号によって振動モータを駆動させる。又、周辺装置の処理器５は、ＬＣＤディスプレー、キーパッド及び電源装置等の各周辺装置を制御するための信号処理を行い、メモリ部６は端末機のための各種のプログラム及び信号処理情報を格納する。
【０００７】
図４はＭＦＤが適用された従来移動通信端末機の構成図で、図示されたように、ＭＦＤが適用された従来の移動通信端末機においては、処理部１０の内部に備えられたオーディオ処理器１０−１と、該オーディオ処理器１０−１から出力されたアナログオーディオ信号を増幅するオーディオ増幅器１２と、該オーディオ増幅器１２の出力信号によって音声、リング及び振動機能を行うＭＦＤ１４と、を包含して構成されている。
【０００８】
以下、このように構成されたＭＦＤを使用した従来の移動通信端末機の動作に対して説明すると、まず、移動通信端末機が通話状態になると、基地局から受信した音声信号は処理部１０からデジタル音声信号に復調され、オーディオ処理器１０−１は復調されたデジタル音声信号をアナログ音声信号に変換し、予め設定された値に音量を調節した後、出力端子ＥＡＲ＋，ＥＡＲ−を通して出力する。
【０００９】
次いで、それら出力端子ＥＡＲ＋，ＥＡＲ−を通して出力された音声信号は、キャパシタＣ１，Ｃ２からＤＣ成分が除去された後、抵抗Ｒ１，Ｒ３を通してオーディオ増幅器１２に入力され、該オーディオ増幅器１２は、入力された音声信号を所定の増幅率（Ｒ２／Ｒ１）に増幅した後ＭＦＤ１４に出力する。よって、前記増幅された音声信号はＭＦＤ１４の音声コイル及び振動板を経て音声が発生される。
【００１０】
使用者が着信知らせをリング音に設定した状態で呼信号が着信されると、オーディオ処理器１０−１は、声の強さを設定する利得値を音声信号の場合より大きく設定した後リング信号を出力し、その後の動作は通話モードと同様に行われる。
【００１１】
使用者が着信知らせを振動モードに設定した状態で呼信号が着信されると、オーディオ処理器１０−１はＭＦＤ１４の振動周波数に該当する振動周波数信号を出力し、該振動周波数信号は、音声増幅器１２で増幅された後ＭＦＤ１４に提供されることで、該ＭＦＤ１４の振動板が入力信号の共振周波数と共振されて振動動作が行われる。
【００１２】
一般に、ＭＦＤは、音声用振動板と振動用振動板とが相互対向するように近接して構成され、入力信号の周波数が共振周波数（１２０−１８０Ｈｚ）と一致する時に振動動作が行われる。
【発明の開示】
【発明が解決しようとする課題】
【００１３】
然るに、ＭＦＤが適用された従来の移動通信端末機においては、音声信号やリング信号にも共振周波数に該当する周波数が存在するため、音声またはリングの出力時、共振周波数による振動により前記音声またはリングの音質を低下させる響き鳴り現象が発生するという不都合な点があった。
【００１４】
本発明は、このような従来の課題に鑑みてなされたもので、ＭＦＤの音質改善装置及びその方法を提供することを目的とする。
【課題を解決するための手段】
【００１５】
本発明によるある局面において、基地局から受信されたオーディオ信号を増幅する段階と、該増幅されたオーディオ信号から振動周波数成分を除去する段階と、それら増幅されたオーディオ信号及び振動周波数成分の除去された増幅されたオーディオ信号を端末機の動作モードに応じてＭＦＤ（Ｍｕｌｔｉ  Ｆｕｎｃｔｉｏｎ  Ｄｅｖｉｃｅ）にスイッチングする段階と、を順次行うことを特徴とするＭＦＤの音質改善方法を提供し、それにより、上記目的を達成する。
【００１６】
前記オーディオ信号は、音声信号、リング信号及び振動周波数信号中何れか一つであることを特徴としてもよい。
【００１７】
前記周波数成分の除去された増幅されたオーディオ信号は、音声信号及びリング信号であることを特徴としてもよい。
【００１８】
本発明による別の局面において、経路制御信号に応じてオーディオ信号を第１及び第２経路にそれぞれ分離する段階と、該分離された第２経路の信号を増幅する段階と、それら第１経路の信号及び増幅された第２経路の信号をそれぞれフィルタリングする段階と、該フィルタリングされた信号及び増幅された第２経路の信号を振動イネーブル信号に応じてＭＦＤ（Ｍｕｌｔｉ  Ｆｕｎｃｔｉｏｎ  Ｄｅｖｉｃｅ）に選択して出力する段階と、を順次行うことを特徴とする移動通信端末機におけるＭＦＤの音質改善方法を提供し、それにより、上記目的を達成する。
【００１９】
前記オーディオ信号は、音声信号、リング信号及び振動周波数信号中何れか一つで、フィルタリングされる第２経路の信号は、リング信号であることを特徴としてもよい。
【００２０】
前記第１経路の信号は、音声信号で、第２経路の信号は、リング信号及び振動周波数信号中何れか一つであることを特徴としてもよい。
【００２１】
前記オーディオ信号は、通話モードでは第１経路に出力され、リングモード及び振動モードでは第２経路に出力されることを特徴としてもよい。
【００２２】
前記フィルタリングされた信号は、通話モード及びリングモードではＭＦＤに出力され、前記増幅された信号は、振動モードではＭＦＤにそのまま出力されることを特徴としてもよい。
【００２３】
前記経路制御信号は、通話モードではロー状態で、リングモード及び振動モードではハイ状態であって、前記振動イネーブル信号は、通話モード及びリングモードではロー状態で、振動モードではハイ状態であることを特徴としてもよい。
【００２４】
本発明によるさらに別の局面では、基地局から受信されたオーディオ信号を増幅するオーディオ増幅器と、該オーディオ増幅器の出力信号をフィルタリングするフィルタリング部と、それらフィルタリング部及びオーディオ増幅器の出力信号を振動イネーブル信号に応じてＭＦＤ（Ｍｕｌｔｉ  Ｆｕｎｃｔｉｏｎ  Ｄｅｖｉｃｅ）に出力するスイッチング部と、を包含して構成されることを特徴とする移動通信端末機におけるＭＦＤの音質改善装置を提供し、それにより、上記目的を達成する。
【００２５】
前記振動イネーブル信号は、端末機の動作モードに対応して処理部（Ｍｏｂｉｌｅ  Ｓｔａｔｉｏｎ  Ｍｏｄｅｍ）から出力され、通話モード及びリングモードではロー状態で、振動モードではハイ状態であることを特徴としてもよい。
【００２６】
本発明によるさらに別の局面では、基地局から受信されたオーディオ信号を経路制御信号に応じて第１及び第２経路にスイッチングする第１スイッチング部と、前記第２経路のオーディオ信号を増幅するオーディオ増幅器と、それら第１経路のオーディオ信号及びオーディオ増幅器の出力信号をフィルタリングするフィルタリング部と、振動イネーブル信号に応じて前記フィルタリング部及びオーディオ増幅器の出力信号をＭＦＤ（Ｍｕｌｔｉ  Ｆｕｎｃｔｉｏｎ  Ｄｅｖｉｃｅ）にスイッチングする第２スイッチングと、を包含して構成されることを特徴とする移動通信端末機におけるＭＦＤの音質改善装置を提供し、それにより、上記目的を達成する。
【００２７】
前記第１及び第２スイッチング部は、二つのアナログオーディオスイッチから構成され、前記フィルタリング部は、二つのハイパスフィルタから構成されることを特徴としてもよい。
【００２８】
前記経路制御信号及び振動イネーブル信号は、端末機の動作モードに対応して処理部（Ｍｏｂｉｌｅ  Ｓｔａｔｉｏｎ  Ｍｏｄｅｍ）から出力されることを特徴としてもよい。
【００２９】
前記経路制御信号は、通話モードではロー状態で、リングモード及び振動モードではハイ状態であって、前記振動イネーブル信号は、通話モード及びリングモードではロー状態で、振動モードではハイ状態であることを特徴としてもよい。
【００３０】
前記オーディオ信号は、音声信号、リング信号及び振動周波数信号中何れか一つであることを特徴としてもよい。
【００３１】
前記第１経路の信号は、音声信号で、前記第２経路の信号は、リング信号及び振動周波数信号中何れか一つであることを特徴としてもよい。
【００３２】
前記フィルタリングされるオーディオ増幅器の出力信号は、リング信号であることを特徴としてもよい。
【００３３】
前記第１スイッチング部は、通話モードではオーディオ信号を第１経路に出力し、リングモード及び振動モードでは第２経路に出力することを特徴としてもよい。
【００３４】
前記第２スイッチング部は、通話モード及びリングモードではフィルタリング部の出力信号をＭＦＤに出力し、振動モードではオーディオ増幅器の出力信号をＭＦＤに出力することを特徴としてもよい。
【００３５】
本発明によるさらに別の局面では、受信信号が少なくとも音声信号及び警報（ａｌｅｒｔ）信号中何れか一つであるかを決定する段階と、受信信号が音声信号であると、第１音声信号を生成するために受信信号をフィルタリングする段階と、受信信号が警報信号であると、増幅された第１警報信号を発生するために受信信号を増幅する段階と、振動モードが設定されているかを決定する段階と、振動モードが設定されていないと、リング信号を発生するために前記増幅された第１警報信号をフィルタリングする段階と、振動モードが設定されていると、振動信号を生成する段階と、出力信号として前記音声信号、リング信号及び振動信号中少なくとも何れか一つを生成する段階と、を行うことを特徴とする通信信号処理方法を提供し、それにより、上記目的を達成する。
【００３６】
前記出力信号を多機能装置（ＭＦＤ）に提供する段階を更に行うことを特徴としてもよい。
【００３７】
前記出力信号が振動信号であると、ＭＦＤが振動する段階と、前記出力信号がリング信号であると、ＭＦＤがリング音を出す段階と、前記出力信号が音声信号であると、ＭＦＤが音声出力を発生する段階と、を更に行うことを特徴としてもよい。
【００３８】
前記音声信号をフィルタリングする段階及び増幅された第１警報信号をフィルタリングする段階は、増幅された第１警報信号から振動周波数成分を除去することを特徴としてもよい。
【００３９】
本発明によるさらに別の局面では、増幅された信号を発生するために受信信号を増幅する段階と、振動状態が設定されていないと、フィルタリングされた信号を発生するために前記増幅された信号をフィルタリングする段階と、振動状態が設定され、前記増幅された信号が音声成分を含まないと、振動信号を生成する段階と、を行うことを特徴とする音質改善方法を提供し、それにより、上記目的を達成する。
【００４０】
前記増幅された信号をフィルタリングする段階は、増幅された信号が音声成分であると、音声信号を生成する段階を更に行うことを特徴としてもよい。
【００４１】
前記増幅された信号をフィルタリングする段階は、増幅された信号がリング成分であると、リング信号を生成する段階を更に行うことを特徴としてもよい。
【００４２】
本発明によるさらに別の局面では、受信信号が音声信号であるか、又は警報（ａｌｅｒｔ）信号であるかを決定する手段と、受信信号が音声信号であると、第１音声信号を生成するために前記受信信号をフィルタリングする手段と、受信信号が警報信号であると、増幅された第１警報信号を発生するために前記受信信号を増幅する手段と、振動状態が設定されているかを決定する手段と、振動状態が設定されていないと、リング信号を発生するために前記増幅された第１警報信号をフィルタリングする手段と、振動モードが設定されていると、振動信号を生成する手段と、出力信号として前記音声信号、リング信号及び振動信号中少なくとも何れか一つを生成する手段と、を含んで構成されることを特徴とする移動通信端末機の受信信号処理処置を提供し、それにより、上記目的を達成する。
【００４３】
本発明によるさらに別の局面では、受信信号を音声信号及び警報信号中少なくとも何れか一つにスイッチングするスイッチと、受信信号が警報信号であると、増幅された第１警報信号を発生するために前記受信信号を増幅する増幅器と、振動イネーブル信号を発生する信号発生部と、受信信号が音声信号であると、第１音声信号を生成するために前記受信信号をフィルタリングし、リング信号を発生するために前記増幅された第１警報信号をフィルタリングするフィルタと、前記振動イネーブル信号が設定されていると、振動信号を発生するスイッチと、を含んで構成されることを特徴とする通信信号処理処置を提供し、それにより、上記目的を達成する。
【００４４】
多機能ディバイス（ＭＦＤ）を更に含み、前記ＭＦＤは、振動信号が発生すると振動することを特徴としてもよい。
【００４５】
多機能ディバイス（ＭＦＤ）を更に含み、前記ＭＦＤは、リング信号が発生するとリング音を発生することを特徴としてもよい。
【００４６】
多機能ディバイス（ＭＦＤ）を更に含み、前記ＭＦＤは、音声信号が発生すると音声を生成することを特徴としてもよい。
【００４７】
移動通信端末機で使用される多機能ディバイス（ＭＦＤ）を更に含み、前記ＭＦＤは、振動、リング及び音声信号中少なくとも何れか一つを受信することを特徴としてもよい。
【００４８】
本発明によるさらに別の局面では、アナログ信号及び制御信号を出力する信号処理器と、該信号処理器と通信して、フィルタリングされた信号及びフィルタリングされていない信号を発生するフィルタモジュールと、該フィルタモジュールと通信して、前記制御信号が第１レベルであると、フィルタリングされた信号を多機能ディバイス（ＭＦＤ）に出力し、制御信号が第２レベルであると、フィルタリングされていない信号をＭＦＤに出力するスイッチと、を含んで構成されることを特徴とするＭＦＤを具備した移動通信端末機を提供し、それにより、上記目的を達成する。
【００４９】
このような目的を達成するため、本発明に係るＭＦＤの音質改善方法は、基地局から受信されたオーディオ信号を増幅する段階と、該増幅されたオーディオ信号から振動周波数成分を除去する段階と、それら増幅されたオーディオ信号及び振動周波数成分の除去されたオーディオ信号を端末機の動作モードに応じてＭＦＤ（Ｍｕｌｔｉ  Ｆｕｎｃｔｉｏｎ  Ｄｅｖｉｃｅ）にスイッチングする段階と、を順次行うことを特徴とする。このとき、前記オーディオ信号は、音声信号、リング信号及び振動周波数信号中何れか一つであって、前記周波数成分の除去されたオーディオ信号は、音声信号またはリング信号である。
【００５０】
且つ、一実施形態で、本発明に係るＭＦＤの音質改善方法は、経路制御信号によってオーディオ信号を第１及び第２経路に分離する段階と、該分離された第２経路の信号を増幅する段階と、それら第１経路の信号及び増幅された第２経路の信号をそれぞれフィルタリングする段階と、該フィルタリングされた信号及び増幅された第２経路の信号を振動イネーブル信号によってＭＦＤ（Ｍｕｌｔｉ  Ｆｕｎｃｔｉｏｎ  Ｄｅｖｉｃｅ）に選択的に出力する段階と、を順次行うことを特徴とする。このとき、前記オーディオ信号は、音声信号、リング信号及び振動周波数信号中何れか一つで、前記第２経路のフィルタリングされたオーディオ信号はリング信号である。又、前記第１経路の信号は音声信号で、第２経路の信号はリング信号及び振動周波数信号中何れか一つである。又、前記オーディオ信号は、通話モードでは第１経路に出力され、リングモード及び振動モードでは第２経路に出力される。前記フィルタリングされた信号は、通話モード及びリングモードではＭＦＤに出力され、前記増幅された信号は振動モードでＭＦＤに出力される。
【００５１】
又、前記経路制御信号は、通話モードではローレベルを有し、リングモード及び振動モードではハイレベルを有する。その反面、前記振動イネーブル信号は、通話モード及びリングモードではローレベルを有し、振動モードではハイレベルを有する。
【００５２】
且つ、本発明に係るＭＦＤの音質改善装置の一実施形態は、基地局から受信されたオーディオ信号を増幅するオーディオ増幅器と、該オーディオ増幅器の出力信号をフィルタリングするフィルタリング部と、それらフィルタリング部及びオーディオ増幅器の出力信号を振動イネーブル信号によってＭＦＤ（Ｍｕｌｔｉ  Ｆｕｎｃｔｉｏｎ  Ｄｅｖｉｃｅ）に出力するスイッチング部と、を包含して構成されることを特徴とする。このとき、前記振動イネーブル信号は、端末機の動作によって処理部（ＭＳＭ）から出力され、通話モード及びリングモードではローレベルを有し、振動モードではハイレベルを維持する。
【００５３】
又、本発明に係るＭＦＤの音質改善装置の他の実施形態は、基地局から受信されたオーディオ信号を経路制御信号によって第１及び第２経路にスイッチングする第１スイッチング部と、前記第２経路のオーディオ信号を増幅するオーディオ増幅器と、前記第１経路のオーディオ信号及びオーディオ増幅器の出力信号をフィルタリングするフィルタリング部と、振動イネーブル信号によって前記フィルタリング部及びオーディオ増幅器の出力信号をＭＦＤ（Ｍｕｌｔｉ  Ｆｕｎｃｔｉｏｎ  Ｄｅｖｉｃｅ）にスイッチングする第２スイッチング部と、を包含して構成される。
【００５４】
このとき、前記第１及び第２スイッチング部は二つのアナログオーディオスイッチによりそれぞれ構成され、前記フィルタリング部は２個のハイパスフィルタにより構成される。前記経路制御信号及び振動イネーブル信号は、端末機の動作に対応して処理部（ＭＳＭ）から出力される。前記経路制御信号は通話モードではローレベルを有し、リングモード及び振動モードではハイレベルを有する。その反面、前記振動イネーブル信号は通話モード及びリングモードではローレベルを有し、振動モードではハイレベルを有する。このとき、前記オーディオ信号は音声信号、リング信号及び振動周波数信号中何れか一つである。又、ある実施形態では、前記第１経路の信号は音声信号で、前記第２経路の信号はリング信号及び振動周波数信号中何れか一つである。
【００５５】
前記オーディオ増幅器のフィルタリングされた出力信号はリング信号である。又、前記第１スイッチング部は、オーディオ信号を通話モードでは第１経路に出力し、リングモード及び振動モードでは第２経路に出力する。前記第２スイッチング部は、通話モード及びリングモードではフィルタリング部の出力信号をＭＦＤに出力し、振動モードではオーディオ増幅器の出力信号をＭＦＤに出力する。
【００５６】
本発明の他の実施形態で、通信信号処理方法は、受信信号が少なくとも音声信号及び警報（ａｌｅｒｔ）信号中何れか一つであるかを決定する段階と、受信信号が音声信号であると、第１音声信号を生成するために受信信号をフィルタリングする段階と、受信信号が警報信号であると、増幅された第１警報信号を発生するために受信信号を増幅する段階と、振動モードが設定されているかを決定する段階と、振動モードが設定されていないと、リング信号を発生するために前記増幅された第１警報信号をフィルタリングする段階と、振動モードが設定されていると、振動信号を生成する段階と、出力信号として前記音声信号、リング信号及び振動信号中少なくとも一つを生成する段階と、を行うことを特徴とする。
【００５７】
前記方法は、前記出力信号が振動信号の場合ＭＦＤが振動する段階と、前記出力信号がリング信号の場合ＭＦＤがリング音を出す段階と、前記出力信号が音声信号の場合ＭＦＤが音声出力を発生する段階と、を更に行う。従って、音声信号をフィルタリングする段階と、増幅された第１警報信号をフィルタリングする段階は、前記増幅された第１警報信号から振動周波数成分を除去する。
【００５８】
本発明の他の実施形態で、音質向上方法は、増幅された信号を発生するために受信信号を増幅する段階と、振動状態が設定されていないと、フィルタリングされた信号を発生するために前記増幅された信号をフィルタリングする段階と、振動状態が設定され、前記増幅された信号が音声成分を含まないと振動信号を生成する段階と、を行うことを特徴とする。このとき、前記増幅された信号をフィルタリングする段階は、増幅された信号が音声成分であると音声信号を生成する段階を更に行う。一例として、前記増幅された信号をフィルタリングする段階は、増幅された信号がリング成分であるとリング信号を生成する段階を更に行う。
【００５９】
本発明の他の実施形態で、移動通信端末機の受信信号処理処置は、受信信号が音声信号であるか又は警報（ａｌｅｒｔ）信号であるかを決定する手段と、受信信号が音声信号であると、第１音声信号を生成するために前記受信信号をフィルタリングする手段と、受信信号が警報信号であると、増幅された第１警報信号を発生するために前記受信信号を増幅する手段と、振動状態が設定されているかを決定する手段と、振動状態が設定されていないと、リング信号を発生するために前記増幅された第１警報信号をフィルタリングする手段と、振動モードが設定されていると、振動信号を生成する手段と、出力信号として前記音声信号、リング信号及び振動信号中少なくとも一つを生成する手段と、を含んで構成されることを特徴とする。
【００６０】
本発明の他の実施形態で、通信信号処理処置は、受信信号を音声信号及び警報信号中少なくとも一つにスイッチングするスイッチと、受信信号が警報信号であると、増幅された第１警報信号を発生するために前記受信信号を増幅する増幅器と、振動イネーブル信号を発生する信号発生部と、受信信号が音声信号であると、第１音声信号を生成するために前記受信信号をフィルタリングし、リング信号を発生するために前記増幅された第１警報信号をフィルタリングするフィルタと、前記振動イネーブル信号が設定されていると、振動信号を発生するスイッチと、を含んで構成されることを特徴とする。
【００６１】
一実施形態で、振動信号が発生すると振動する多機能ディバイス（ＭＦＤ）が含まれ、リング信号が発生するとリング音を発生する多機能ディバイス（ＭＦＤ）も含まれる。又、一つ又はそれ以上の実施形態で、音声信号が発生すると音声を生成するＭＦＤが含まれる。又、所定の実施形態で、前記ＭＦＤは、振動、リング及び音声信号中少なくとも一つを受信する。
【００６２】
本発明の他の実施形態で、ＭＦＤを具備した移動通信端末機は、アナログ信号及び制御信号を出力する信号処理器と、該信号処理器と通信して、フィルタリングされる信号及びフィルタリングされない信号を発生するフィルタモジュールと、該フィルタモジュールと通信して、前記制御信号が第１レベルであると、フィルタリングされた信号を多機能ディバイス（ＭＦＤ）に出力し、制御信号が第２レベルであると、フィルタリングされない信号をＭＦＤに出力するスイッチと、を含んで構成されることを特徴とする。
【発明の効果】
【００６３】
本明細書中で説明されるように、本発明に係るＭＦＤの音質改善装置及びその方法においては、増幅する信号と増幅する必要のない信号とを区分して処理し、音声信号及びリング信号から２００Ｈｚ以下の周波数を除去することで、従来の音声またはリング音の出力時に発生する音質低下現象を効率的に防止し得るという効果がある。
【００６４】
又、ここに記述されたプログラム、モジュール、プロセス及び方法は、例示的なもので、特定のコンピュータ、装置及びコンピュータプログラミング言語に限定することなく、多様な形態の演算機器及びディバイスが、本発明で提示されたものによって具現された論理コードと共に使用される。その上、現在の方法の段階が具現される順序は、例示的なもので、順に又は並列的に行うことができる。
【００６５】
又、本発明に係る方法は、ハードウェア、ソフトウェア及びそれらの結合によって行われ、これは現在公知されている。特に、現在の方法は、ソフトウェア、ファームウェア、コンピュータ及びあるタイプのコンピュータで運用するマイクロコード（ｍｉｃｒｏｃｏｄｅ）によって行うことができる。更に、本発明を具現するソフトウェアは、コンピュータ命令を構成することができ、記録媒体（例えば、ＲＯＭ、ＲＡＭ、マグネチックメディア、穿孔されたテープ又はカード及びコンパクト・ディスク（ＣＤ、ＤＶＤなど）に格納される。その上、例えば、前記のようなソフトウェアは、搬送波（ｃａｒｒｉｅｒ  ｗａｖｅ）に載せられたコンピュータ信号の形態に伝送されるか、又は、インターネットウェブサイトを経由して各通信網を通して伝送される。従って、本発明は、現在の記載で格別に提示しない限り、ＤＥＪＳ特定プラットホーム（ｐｌａｔｆｏｒｍ）に限定されない。
【発明を実施するための最良の形態】
【００６６】
以下、本発明の実施の形態に対し、図面を用いて説明する。
【００６７】
一般に、音声信号は、リング信号及び振動周波数信号より信号レベルが小さいため、別途に増幅する必要はない。且つ、音声信号やリング信号にも共振周波数（例えば、１８０Ｈｚ）に該当する周波数が存在するが、通常、音声信号、リング信号及び振動周波数信号を全て増幅した後ＭＦＤが駆動され、前記共振周波数を包含している音声信号及びリング信号に対しては別途の処理が行われなかったため、音声またはリングが出力される時、共振周波数による微細な振動によっても響き鳴る現象が発生していた。
【００６８】
従って、本発明の第１実施形態では、増幅すべき信号と増幅する必要のない信号とをそれぞれ区分して処理し、音声信号及びリング信号から、例えば、２００Ｈｚ以下の振動周波数を除去する。本発明に係るＭＦＤの音質改善方法の第１実施形態においては、オーディオ信号（例えば、音声信号、リング信号及び振動周波数信号）を増幅する段階と、該増幅されたオーディオ信号（例えば、音声信号及びリング信号）から振動周波数成分を除去する段階と、それら増幅されたオーディオ信号及び振動周波数成分の除去されたオーディオ信号を端末機の動作モードに応じてＭＦＤにスイッチングする段階と、を順次行う。一つ又はそれ以上の実施形態で、前記オーディオ信号をスイッチングのための多様な信号が使用される。例えば、端末機の動作モードに対応して処理部から出力された振動イネーブル信号が使用されるが、該振動イネーブル信号は、例えば、通話モード及びリングモードでは第１値（例えば、「０」）に設定され、振動モードでは第２値（例えば、「１」）に設定される。
【００６９】
図１を参照すると、処理部１００のオーディオ処理器１００−１から出力されて、オーディオ増幅器１１０で増幅されたオーディオ信号（音声信号及びリング信号）から振動周波数成分を除去する二つのハイパスフィルタ（Ｈｉｇｈ  Ｐａｓｓ  Ｆｉｌｔｅｒ：ＨＰＦ）２０，２１により構成されたフィルタリング部１２０と、前記オーディオ増幅器１１０で増幅されたオーディオ信号及び前記フィルタリング部１２０の出力信号を前記処理部１００の制御端子ＧＰＩＯから出力された振動イネーブル信号ＶＩＢ＿ＥＮによってＭＦＤ１４０にスイッチングする二つのオーディオスイッチ３０，３１により構成されたスイッチング部１３０と、を包含して構成される。次の表１には、端末機の動作モードに応じた振動イネーブル信号ＶＩＢ＿ＥＮの状態が示されている。
【００７０】
【表１】
2004304764.tif 000003
従って、前記フィルタリング部１２０の二つのフィルタ２０，２１は、オーディオ増幅器１１０で増幅された音声信号またはリング信号をフィルタリングして、該当の信号から振動周波数成分を除去し、前記スイッチング部１３０の二つのオーディオスイッチ３０，３１は、Ａ端子またはＢ端子に入力されたオーディオ信号を振動イネーブル信号ＶＩＢ＿ＥＮによってＣ端子を通してＭＦＤ１４０に出力する。即ち、それら二つのオーディオスイッチ３０，３１は、通話モード及びリングモードでは、フィルタリング部１２０から出力された音声信号またはリング信号をＭＦＤ１４０に出力し、振動モードでは、オーディオ増幅器１１０で増幅された振動周波数信号をＭＦＤ１４０に出力する。
【００７１】
又、本発明に係る移動通信端末機におけるＭＦＤの音質改善方法の第２実施形態は、処理部のオーディオ処理器で処理されたオーディオ信号（音声信号、リング信号及び振動周波数信号）を移動通信端末機の動作モードに応じて他の経路に分離する段階を包含しているが、この場合、音声信号は増幅を必要としないため、リング信号及び振動周波数信号の経路と他の経路とに分離する。一つの実施形態で、前記処理部から出力された経路制御信号が端末機の動作モードに対応して設定される。
【００７２】
本発明における経路制御信号の状態は、音声信号、リング信号及び振動周波数信号を処理するために、通話モード及び着信モード（リングモード及び振動モード）に従ってそれぞれ相異に設定される。例えば、リングモード及び振動モードでは経路制御信号を第１値（例えば、「１」）に設定し、通話モードでは第２値（例えば、「０」）に設定する。
【００７３】
従って、リング信号及び共振周波数信号のレベルは音声信号のレベルより非常に大きいため、充分に増幅されるべきである。然し、オーディオ処理器内の増幅器では充分な増幅が困難であるため、前記経路分離段階で分離されたリング信号及び共振周波数信号をＭＦＤの駆動に適合したレベルに増幅する。
【００７４】
又、音声信号やリング信号には共振周波数（すなわち、１８０Ｈｚ）に該当する周波数成分が存在されるため、前記増幅段階が終了されるとフィルタリング段階を行い、音声信号または増幅されたリング信号に含まれた共振周波数成分を除去する。
【００７５】
それら段階が全て終了されると、本発明に係るＭＦＤの音質改善方法の第２実施形態は、該当の信号を各モードに応じてＭＦＤに選択的にスイッチングする段階を行う。例えば、前記処理部から出力される振動イネーブル信号が移動通信端末機の動作モードに対応して設定される。前記スイッチング段階は、フィルタリング段階の後に行われたが、これに限定されず、スイッチング段階を先に行って、その後フィルタリング段階を行うこともできる。
【００７６】
従って、本発明に係るＭＦＤの音質改善方法の第１実施形態は、増幅する信号と増幅する必要のない信号とを区分して処理し、音声信号及びリング信号から２００Ｈｚ以下の周波数を除去することで、従来に発生する音声またはリングの音質低下を効果的に防止することができる。
【００７７】
図２は本発明に係る移動通信端末機におけるＭＦＤの音質改善装置の一例を示した図で、図示されたように、前記ＭＦＤの音質改善装置は、オーディオ処理器２００−１から出力される音声信号、リング信号及び振動周波数信号を第１及び第２経路に分離する第１スイッチング部２１０が前記第１実施形態に追加して包含され、該第１スイッチング部２１０の動作は、移動通信端末機の動作モードに対応して処理部２００から提供された制御信号ＡＵＤ＿ＰＡＴＨによって制御される。一例として、前記第１スイッチング部２１０は、オーディオ処理器２００−１の二つの出力端子ＥＡＲ＋，ＥＡＲ−から出力されたオーディオ信号をそれぞれスイッチングする二つのオーディオスイッチ５０，５１により構成される。
【００７８】
且つ、第２経路に分離されたリング信号及び振動周波数信号を増幅するオーディオ増幅器２２０と、第１経路に分離された音声信号及びオーディオ増幅器２２０で増幅されたリング信号をそれぞれフィルタリングするフィルタリング部２３０と、前記オーディオ増幅器２２０及びフィルタリング部２３０の出力信号をＭＦＤ２５０に選択して出力する第２スイッチング部２４０と、を更に包含して構成され、該第２スイッチング部２４０の動作は、移動通信端末機の動作モードに対応して処理部２００から出力される振動イネーブル信号ＶＩＢ＿ＥＮにより制御され、第２スイッチング部２４０は二つのオーディオスイッチ７０，７１で構成され、前記フィルタリング部２３０は二つのハイパスフィルタ（ＨＰＦ）６０，６１により構成される。
【００７９】
以下、このように構成された本発明に係るＭＦＤの音質改善装置の動作に対して説明するが、本発明の動作は、３種類の動作モード、即ち、通話モード、リングモード及び振動モードに区分して説明することができる。
【００８０】
まず、移動通信端末機が通話状態になると、オーディオ処理器２００−１は処理部２００から復調されたデジタル音声信号をアナログ音声信号に変換した後、該当の音声信号を出力端子ＥＡＲ＋，ＥＡＲ−を通して第１スイッチング部２１０に出力する。
【００８１】
次いで、該第１スイッチング部２１０の二つのオーディオスイッチ５０，５１は、Ｃ端子を通して音声信号の入力をそれぞれ受け、処理部２００の制御端子ＧＰＩＯ１から出力される経路制御信号ＡＵＤ＿ＰＡＴＨによってＡまたはＢ端子に出力する。表２には端末機の各動作モードに応じた経路制御信号ＡＵＤ−ＰＡＴＨ及び振動イネーブル信号ＶＩＢ＿ＥＮの状態が示されている。
【００８２】
【表２】
2004304764.tif 000004
表２に示されたように、通話モードで経路制御信号ＡＵＤ−ＰＡＴＨはロー状態（「０」）であるため、二つのオーディオスイッチ５０，５１は入力された音声信号をＡ端子を通して第１経路に出力する。従って、音声信号はオーディオ増幅器２２０を経ず、直ちにフィルタリング部２３０に伝達される。即ち、音声信号のレベルはリング信号や振動周波数信号のレベルより小さくなることで、大きな増幅が不必要であり、オーディオ処理器２００−１の内部増幅器でも充分に増幅が可能であるため、直接フィルタリング部２３０に伝達されるようになる。
【００８３】
次いで、該フィルタリング部２３０の二つのフィルタ６０，６１は、音声信号から２００Ｈｚ以下の周波数成分を除去した後第２スイッチング部２４０に出力されるが、前記音声信号から２００Ｈｚ以下の周波数成分を除去する理由は、一般の音声やリング出力のための端末機のスピーカー構造では、３００Ｈｚ以下の声は生成されなく、特に、音声信号に振動周波数成分が含まれる場合は、ＭＦＤが振動して音質が低下するためである。
【００８４】
次いで、第２スイッチング部２４０の二つのオーディオスイッチ７０，７１は、処理部２００の制御端子ＧＰＩＯ２から出力されたロー状態（「０」）の振動イネーブル信号ＶＩＢ＿ＥＮによって、Ａ端子を通して入力された音声信号をＣ端子を通してＭＦＤ２５０にそれぞれ出力する。よって、第２スイッチング部２４０から出力された音声信号はＭＦＤ２５０の音声コイル及び振動板をそれぞれ経ることで音声が発生される。
【００８５】
使用者が着信知らせのためにリングを設定した状態で呼信号が着信されると、オーディオ処理器２００−１から第１オーディオスイッチ２１０にアナログオーディオ信号が入力されるが、表２では、現在の経路制御信号ＡＵＤ＿ＰＡＴＨがハイ状態（「１」）であるため、第１スイッチング部２１０の二つのオーディオスイッチ５０，５１は、Ｃ端子に入力されたリング信号をＢ端子を通して第２経路に出力し、該第２経路のリング信号はオーディオ増幅器２２０で増幅される。即ち、リング信号は音声信号よりも信号レベルが大きいため、オーディオ増幅器２２０を利用して充分に増幅し得る。
【００８６】
次いで、フィルタリング部２３０の二つのＨＰＦ６０，６１は、オーディオ増幅器２２０で増幅されたリング信号から２００Ｈｚ以下の周波数成分を除去して、第２スイッチング部２４０に出力し、第２スイッチング部２４０の二つのオーディオスイッチ７０，７１は、ハイ状態（「１」）の振動イネーブル信号ＶＩＢ＿ＥＮによって、Ａ端子に入力されたリング信号をＣ端子を通してＭＦＤ２５０に出力する。よって、前記第２オーディオスイッチ２４０から出力されたリング信号はＭＦＤ２５０の音声コイル及び振動板を経てリング音を発生するようになる。
【００８７】
使用者が着信知らせを振動モードに設定した状態で呼信号が着信されると、オーディオ処理器２００−１から出力された振動周波数信号が第１スイッチング部２１０に入力されるが、この時、経路制御信号ＡＵＤ−ＰＡＴＨはハイ状態であるため、第１スイッチング部２１０の二つのオーディオスイッチ５０，５１は入力された振動周波数信号をオーディオ増幅器２２０にスイッチングする。
【００８８】
然し、振動のための振動共振周波数信号は、一般に約１８０Ｈｚの周波数を含むべきであるため、第２スイッチング部２４０の二つのオーディオスイッチ７０，７１は、ハイ状態の振動イネーブル信号ＶＩＢ＿ＥＮによってＢ端子に入力された振動周波数信号をＣ端子を通してそれぞれＭＦＤ２５０に出力し、よって、ＭＦＤ２５０の振動板が入力された信号の共振周波数と共振されて移動通信端末機が振動するようになる。
【００８９】
以上説明したように、本発明に係るＭＦＤの音質改善装置及びその方法においては、増幅する信号と増幅する必要のない信号とを区分して処理し、音声信号及びリング信号から２００Ｈｚ以下の周波数を除去することで、従来の音声またはリング音の出力時に発生する音質低下現象を効率的に防止し得るという効果がある。
【００９０】
又、ここに記述されたプログラム、モジュール、プロセス及び方法は、例示的なもので、特定のコンピュータ、装置及びコンピュータプログラミング言語に限定することなく、多様な形態の演算機器及びディバイスが、本発明で提示されたものによって具現された論理コードと共に使用される。その上、現在の方法の段階が具現される順序は、例示的なもので、順に又は並列的に行うことができる。
【００９１】
又、本発明に係る方法は、ハードウェア、ソフトウェア及びそれらの結合によって行われ、これは現在公知されている。特に、現在の方法は、ソフトウェア、ファームウェア、コンピュータ及びあるタイプのコンピュータで運用するマイクロコード（ｍｉｃｒｏｃｏｄｅ）によって行うことができる。更に、本発明を具現するソフトウェアは、コンピュータ命令を構成することができ、記録媒体（例えば、ＲＯＭ、ＲＡＭ、マグネチックメディア、穿孔されたテープ又はカード及びコンパクト・ディスク（ＣＤ、ＤＶＤなど）に格納される。その上、例えば、前記のようなソフトウェアは、搬送波（ｃａｒｒｉｅｒ  ｗａｖｅ）に載せられたコンピュータ信号の形態に伝送されるか、又は、インターネットウェブサイトを経由して各通信網を通して伝送される。従って、本発明は、現在の記載で格別に提示しない限り、ＤＥＪＳ特定プラットホーム（ｐｌａｔｆｏｒｍ）に限定されない。
【００９２】
本発明は、ＭＦＤの音質改善装置及びその方法を提供しようとする。
【００９３】
基地局から受信されたオーディオ信号を増幅する段階と、該増幅されたオーディオ信号から振動周波数成分を除去する段階と、それら増幅されたオーディオ信号及び振動周波数成分の除去された増幅されたオーディオ信号を端末機の動作モードに応じてＭＦＤ（Ｍｕｌｔｉ  Ｆｕｎｃｔｉｏｎ  Ｄｅｖｉｃｅ）にスイッチングする段階と、を順次行ってＭＦＤの音質を改善し得るようにＭＦＤの音質改善装置を構成する。
【００９４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００９５】
【図１】本発明に係る移動通信端末機におけるＭＦＤの音質改善装置の第１実施形態を示した構成図である。
【図２】本発明に係る移動通信端末機におけるＭＦＤの音質改善装置の第２実施形態を示した構成図である。
【図３】従来移動通信端末機を示した構成図である。
【図４】ＭＦＤを備えた従来移動通信端末機を示した構成図である。
【符号の説明】
【００９６】
１００，２００：処理部
１００−１，２００−１：オーディオ処理器
１１０，２２０：オーディオ増幅器
１２０，２３０：フィルタリング部
１３０：スイッチング部
２４０：第２スイッチング部
１４０，２５０：多機能ディバイス（ＭＦＤ）
【図１】
2004304764.tif 000005
【図２】
2004304764.tif 000006
【図３】
2004304764.tif 000007
【図４】
2004304764.tif 000008